(57)【要約】  【課題】  餌等の誘引手段を設けなくても捕獲率が高く、しかも、構成が極めて簡素なモグラ捕獲装置を提供すること。  【解決手段】  周壁部に多数の通孔１１を備え、地中に埋設したとき該通孔１１から筒内への土砂の流入を許容する筒状のケース本体１と、このケース本体１の開口端側に揺動開閉可能に配設され逆止扉２と、を含んで構成されたモグラ捕獲装置において、ケース本体１の周壁部に逆止扉２付近への土砂等の流入を抑制する流入抑制部４を設けた。  【選択図】  図１
2006141339.tif 000002
【特許請求の範囲】
【請求項１】
モグラの地下通路に仕掛けるモグラ捕獲装置であって、
開口端を有し周壁部に多数の通孔を備えた筒材から成り、地中に埋設したとき該通孔から筒内への土砂の流入を許容するケース本体と、
前記ケース本体の開口端側に揺動開閉可能に配設され、該ケース本体の内側方向へのみ開く逆止扉と、
を含んで構成され、
前記ケース本体の周壁部における、前記逆止扉が開いたとき該逆止扉に対向する部位に、土砂の流入を抑制する流入抑制部を備えたことを特徴とするモグラ捕獲装置。
【請求項２】
前記ケース本体の周壁部における前記逆止扉が開いたとき該逆止扉に対向する部位と、該逆止扉との間に、弾性部材を介在させた請求項１記載のモグラ捕獲装置。
【請求項３】
前記ケース本体の周壁部を貫通して設けられ、前記逆止扉が開いたとき該逆止扉によって押されて該ケース本体の外側方向へ移動する報知部材を備えている請求項１または請求項２記載のモグラ捕獲装置。
【請求項４】
前記ケース本体が網材から構成されており、前記流入抑制部が該ケース本体の周壁部の外面または内面に添設された遮蔽板から構成されている請求項１ないし請求項３のいずれかに記載のモグラ捕獲装置。
【発明の詳細な説明】
【技術分野】
【０００１】
本発明は、モグラの地下通路に仕掛けてモグラを捕獲するモグラ捕獲装置に関するものである。
【背景技術】
【０００２】
農作物等に被害を与えるモグラを捕獲する装置は、現在までに数多く提案されている（例えば、特許文献１参照）。しかしながら、従来の捕獲装置は、モグラを捕獲するための空間を地中において確保しなければならないとの観点から、この捕獲空間を基本的に樹脂パイプ等の管材を用いて構成していた。したがって、鋭敏な臭覚、触覚を有するモグラにとって、かかる捕獲空間の周壁や導入路から受ける違和感は決して小さくなく、たとえミミズ等の餌でモグラを誘き寄せる誘引手段を設けていても、その捕獲率は低いのが実情であった。
【特許文献１】特開平１０−１１７６６４号公報
【発明の開示】
【発明が解決しようとする課題】
【０００３】
本発明は、従来のモグラ捕獲装置に上記のような難点があったことに鑑みて為されたもので、餌等の誘引手段を設けなくても捕獲率が高く、しかも、構成が極めて簡素なモグラ捕獲装置を提供することを技術的課題とする。
【課題を解決するための手段】
【０００４】
本発明は、モグラの地下通路に仕掛けるモグラ捕獲装置であって、
開口端を有し周壁部に多数の通孔を備えた筒材から成り、地中に埋設したとき該通孔から筒内への土砂の流入を許容するケース本体と、前記ケース本体の開口端側に揺動開閉可能に配設され、該ケース本体の内側方向へのみ開く逆止扉と、を含んで構成され、
前記ケース本体の周壁部における、前記逆止扉が開いたとき該逆止扉に対向する部位に、土砂の流入を抑制する流入抑制部を備えたことを特徴とする。
【０００５】
また、本発明は、前記ケース本体の周壁部における前記逆止扉が開いたとき該逆止扉に対向する部位と、該逆止扉との間に、弾性部材を介在させたことを特徴とする。
【０００６】
更にまた、本発明は、前記ケース本体の周壁部を貫通して設けられ、前記逆止扉が開いたとき該逆止扉によって押されて該ケース本体の外側方向へ移動する報知部材を備えていることを特徴とする。
【０００７】
更にまた、本発明は、前記ケース本体が網材から構成されており、前記流入抑制部が該ケース本体の周壁部の外面または内面に添設された遮蔽板から構成されていることを特徴とする。
【発明の効果】
【０００８】
本発明に係るモグラ捕獲装置は、ケース本体に多数の通孔を備えており、地中に仕掛けたときに周囲の土砂等がこれら通孔を通ってケース内へ流入するのを許容するので、流入した土砂等によってケース本体の周壁部を覆うことができ、モグラの地下通路と同様な通路を形成することができる。したがって、従来装置のように捕獲空間の壁部等がモグラに大きな違和感を抱かせて捕獲率の低下を招くことがなく、高効率にモグラを捕獲することができる。また、これら通孔はモグラの餌となるミミズ等の進入も許容するので、ケース内に進入したミミズ等でモグラを誘引することもできる。
【０００９】
しかも、本発明のモグラ捕獲装置は、流入抑制部によって逆止扉付近への土砂等の流入を抑制できるので、流入した土砂等が逆止扉の開閉動作の障害になることもなく、モグラの進入が阻害されて捕獲率の低下を招く恐れもない。
【発明を実施するための最良の形態】
【００１０】
以下、本実施形態のモグラ捕獲装置１０について、図１〜図５を参照しながら詳しく説明する。
【００１１】
本実施形態のモグラ捕獲装置１０は、図１に示すように、長手方向の両側に開口端を有し、周壁部に多数の通孔１１を備えた筒状のケース本体１と、このケース本体１の一方の開口端側に配設された逆止扉２と、ケース本体１の他方の開口端側に配設された取出蓋３と、逆止扉２付近のケース本体１の周壁部に設けられた流入抑制部４と、ケース本体１の周壁部を貫通して設けられた報知部材５と、から構成されている。
【００１２】
ケース本体１は、モグラを捕獲するための捕獲空間を構成するものである。本実施形態のケース本体１は、約５ミリのメッシュ孔をもつ平織組織の金属網材を、内径５０ミリ、長さ２２０ミリの円筒形状に丸めて構成されており、この金属網材のメッシュ孔によって多数の通孔１１が構成されている。このことで、ケース本体１を地中に埋設したとき、周囲の土砂等がこれら通孔１１を通ってケース内へ流入することを可能としている。
【００１３】
逆止扉２は、扉部材２１と、この扉部材２１の一端部をケース本体１に揺動可能に連結したリング状の連結部材２２とから構成されている。扉部材２１は、塩化ビニル製パイプの周壁部を平面視略楕円形状に部分的に切り取って形成されており、その長軸方向の長さをケース本体１の内径より大きくしてある。この扉部材２１の先端をケース内側へ向けた状態で、後端を連結部材２２によりケース本体１の周壁部に連結している。このことで、連結部材２２を上に向けた状態でケース本体１を略水平姿勢で地中に埋設すれば、図１に示すように、扉部材２１の先端は自重で下がり、逆止扉２が閉じた状態に維持される。そして、扉部材２１をケース外側から押したときに限って逆止扉２をケース内側方向へ開くことができ、逆に、扉部材２１をケース内側から押しても逆止扉２はケース外側方向へは開くことができない。本実施形態では、ケース本体１の開口端部から１５ミリ程内側に入った部分に扉部材２１を連結している。また、扉部材２１の先端側には、後述する報知部材５の下端と着脱自在に係合する突起２３を備えている。
【００１４】
取出蓋３は、図１に示すように、ケース本体１の他方の開口端部に図示しないリベットで固定された透明樹脂材から成る筒部材３１と、この筒部材３１の先端部に設けられた雄ネジ３２に螺合可能な雌ネジ３３を備えた蓋部材３４とから構成されている。モグラを捕獲したとき、蓋部材３４を筒部材３１から外すことによって、ケース本体１内のモグラを容易に取り出すことができる。なお、蓋部材３４には、通気孔３５が開設されている。
【００１５】
流入抑制部４は、ケース本体１を地中に埋設したとき、周囲の土砂等がケース内の逆止扉２の付近に流入するのを抑制するものであり、ケース本体１の周壁部における、逆止扉２が開いたときこの逆止扉２に対向する部位に設けられている。つまり、逆止扉２の連結部材２２が設けられている、ケース本体１の周壁部の上部に流入抑制部４が設けられている。本実施形態の流入抑制部４は、図１及び図２に示すように、ケース本体１の周壁部の外面に遮蔽板４１を添設することによって構成されている。この遮蔽板４１は、塩化ビニル製パイプの周壁部を平面視略長方形状に部分的に切り取って形成されたものであり、図示しない針金によってケース本体１の周壁部に固定されている。また、遮蔽板４１には、次述する報知部材５を挿通可能な挿通孔４２が開設されている。
【００１６】
報知部材５は、モグラを捕獲したことを知らせるものであり、ケース本体１の周壁部を貫通し、遮蔽板４１の挿通孔４２に挿通されて進退移動可能に設けられている。本実施形態の報知部材５は管材５１により構成されており、その下端開口部が上記逆止扉２の突起２３に着脱可能に被嵌されている。このことで、報知部材５は、逆止扉２が開いたとき、この逆止扉２に押されてケース本体１の外側方向（図１の上方向）へ移動することになり、モグラが逆止扉２を開いたことを外部に知らせることができる。また、報知部材５の長手方向の略中央には、管材５１の周壁部を一部切り込んで外側へ曲げたストッパ５２が形成されている。
【００１７】
以下、本実施形態のモグラ捕獲装置１０の使用手順とその作用について説明する。
【００１８】
まず、モグラ捕獲装置１０をモグラの地下通路に仕掛ける前に、その仕掛け場所の土砂を採取して泥水をつくり、その泥水にモグラ捕獲装置１０を浸漬する。このことで、モグラが生活するその土地の匂いをモグラ捕獲装置１０に積極的に付けるとともに人の匂いを消す。そして、手袋をするなどして再び人の匂いを付けないように留意しながら、モグラ捕獲装置１０を取り出し、図１に示すように、逆止扉２及び報知部材５を待機状態にセットしておく。勿論、取出蓋３は閉じておく。
【００１９】
そして、見つけたモグラの地下通路を掘り出して部分的に露出させ、その地下通路にモグラ捕獲装置１０の逆止扉２側を差し込むように略水平姿勢で接続する。その後、ケース本体１の周囲に隙間なく土砂等を詰め込むようにしてモグラ捕獲装置１０に土砂等を被せることによって、モグラ捕獲装置１０を埋設する。こうして本実施形態のモグラ捕獲装置１０が地中に仕掛けられる。なお、モグラ捕獲装置１０に土砂等を被せる際には、報知部材５を目安とすることができる。報知部材５の少なくとも先端部５３を地表に露出させておけば、モグラ捕獲装置１０を仕掛けた場所の目印とすることができる。
【００２０】
地下通路を何度も往復するモグラは、通路内の障害物を積極的に除去しようとする習性をもつ。したがって、モグラ捕獲装置１０の逆止扉２の存在を知ったモグラは、逆止扉２を排除しようとこれを押し開きながら前進する。このとき、図４に示すように、報知部材５は逆止扉２によって押されて上昇移動する。そして、モグラがケース本体１内に完全に進入したとき、図５に示すように、逆止扉２はその自重によって閉じ、その後、モグラはケース内側から逆止扉２を開くことができなくなる。こうして、ケース本体１内にモグラが捕獲される。
【００２１】
報知部材５は、逆止扉２に着脱自在に被嵌されているだけなので、図５に示すように、逆止扉２が自重で閉じたときでも、主に報知部材５のストッパ５１が周囲の土砂等に引っ掛かり、その上昇状態が維持される。したがって、モグラ捕獲装置１０を埋設したままでも、報知部材５の移動状態をチェックするだけでモグラの捕獲を知ることができる。なお、この報知部材５と周囲の土砂等との間の摩擦抵抗、または報知部材５とケース本体１の周壁部との間の摩擦抵抗によって報知部材５の上昇状態を維持できる場合、必ずしも報知部材５にストッパ５１を設ける必要はない。
【００２２】
以上に説明したように、本実施形態のモグラ捕獲装置１０にあっては、ケース本体１に多数の通孔１１を備えており、地中に仕掛けたときに周囲の土砂等が通孔１１を通ってケース内へ流入するのを許容しているので、流入した土砂等によってケース本体１の周壁部内面を覆うことができ、モグラの地下通路と同様な通路を形成することができる。したがって、従来装置のように捕獲空間の壁部等がモグラに大きな違和感を抱かせて捕獲率の低下を招くことがなく、高効率にモグラを捕獲することができる。また、ケース本体１の通孔１１はモグラの餌となるミミズ等の進入も許容するので、このケース内に進入したミミズ等でモグラを誘引することも可能である。更にまた、モグラ捕獲装置１０を仕掛けた状態で降雨があっても、従来装置のようにケース内に水が溜まることもなく、水はけ性に優れている。
【００２３】
更にまた、ケース本体１に多数の通孔１１を備えているので、ケース本体１の表面積を大きくすることができる。したがって、モグラが棲む土地の土砂等で作った泥水に浸漬したときにも、その土地の匂いをモグラ捕獲装置１０に確実かつ効率的に付着させることができ、モグラの臭覚についても違和感を与えることのないモグラの地下通路と同様な通路を形成することができる。また、逆止扉２及び報知部材５が極めて簡素に構成され、コイルばね等の付勢手段や摺動機構等を採用していないので、泥水に浸漬することによる作動障害もない。
【００２４】
しかも、本実施形態のモグラ捕獲装置１０にあっては、流入抑制部４によって逆止扉２付近への土砂等の流入を抑制できるので、流入した土砂等が逆止扉２の開閉動作の障害になることもなく、モグラの進入が阻害されて捕獲率の低下を招く恐れもない。また、本実施形態のモグラ捕獲装置１０の場合、ケース本体１を金属網材で構成し、このケース本体１の周壁部の外面に遮蔽板４１を添設して流入抑制部４を構成しているので、極めて簡単に製造することができ、安価なモグラ捕獲装置を提供することができる。
【００２５】
以上、本実施形態のモグラ捕獲装置１０について説明したが、本発明に係るモグラ捕獲装置はその他の形態でも実施することができる。
【００２６】
例えば、図６に示すモグラ捕獲装置２０のように、逆止扉２と、この逆止扉２が開いたときこの逆止扉２に対向するケース本体１の周壁部との間に、弾性部材６を介在させるようにしても良い。この変形例では、ケース本体１の周壁部内面に、スポンジ状の発泡樹脂から成る弾性部材６を固定している。このことで、モグラが逆止扉２を押し開いたとき、逆止扉２を弾性部材６で受けることができ、逆止扉２が直接ケース本体１の周壁部に衝突するのを防ぐことができる。したがって、逆止扉２の衝突音によって、聴覚においても敏感なモグラを驚かせてしまうこともなく、このことで捕獲率の低下を招くこともない。しかも、弾性部材６によっても、逆止扉２付近への土砂等の流入を抑制することができる。更には弾性部材６と報知部材５との接触抵抗を利用することによって報知部材５の上昇状態を維持させることも可能となり、このことで装置構成を更に簡素化することができる。勿論、弾性部材を逆止扉２に設けても良い。また、弾性部材６を設ける代わりに、逆止扉２自体を例えば合成ゴム材で形成するなどして衝突音等を抑制するようにしても良い。
【００２７】
また、上記実施形態では、図１に示すように逆止扉２の扉部材２１に突起２３を設け、この突起２３を報知部材５の下端開口部に着脱自在に差し込んでいるが、本発明は決してこれに限定されるものではない。例えば、図７に示すモグラ捕獲装置３０のように、中実棒材５４から成る報知部材５の下端部を半球形状に形成し、この報知部材５の下端部を、扉部材２１に設けた長溝２４で着脱自在に受けるようにしても良い。扉部材２１が開き動作する際、報知部材５の下端部が長溝２４上を移動し得るので、垂直姿勢を保ったまま報知部材５を上昇させることが可能となり、報知部材５が地中を上昇移動する際の移動音を抑制することができる。この報知部材５の移動音によってモグラを驚かせてしまうこともなく、このことで捕獲率の低下を招く恐れもない。なお、遮蔽板４１の挿通孔４２に報知部材５の垂直姿勢での移動を規制するスリーブガイドを設けても良い。
【００２８】
更にまた、上記実施形態では、ケース本体１を平織組織の金属網材を円筒形状に丸めて構成しているが、図８に示すように、周壁部に多数の通孔１２を備えて一体成形された合成樹脂製の筒材により構成しても良い。また、上記実施形態では、流入抑制部４をケース本体１の周壁部の外面に遮蔽板４１を添設して構成しているが、ケース本体１の周壁部の内面に遮蔽板を添設して流入抑制部を構成しても良い。この場合、遮蔽板を、例えば発泡樹脂材、ゴム材等で構成すれば、このことで逆止扉２の衝突音を抑制することが可能となる。また、図８に示すように、合成樹脂製の筒材の所定部位に、通孔１２の無い遮蔽部分４３を成形し、この遮蔽部分４３を流入抑制部としても良い。これらケース本体１の通孔１１、１２の大きさや間隔、及び流入抑制部４の大きさや配設位置等は、ケース内への土砂等の流入状態や逆止扉２の開閉状況を考慮して種々の設計変更が可能である。
【００２９】
更にまた、上記実施形態では、ケース本体１の一方の開口端部側に逆止扉２を設け、他方の開口端部に取出蓋３を設けているが、例えば、ケース本体１の開口端部の両側にそれぞれ逆止扉２を配設しても良い。また、ケース本体１の開口端部に必ずしも取出蓋３を設ける必要はなく、単にケース本体１の一方の端部を閉鎖しておいても良い。
【００３０】
本発明はその趣旨を逸脱しない範囲内で、当業者の知識に基づいて種々の改良、修正、変形を加えた態様で実施し得るものである。また、同一の作用又は効果が生じる範囲内でいずれかの発明特定事項を他の技術に置換した形態で実施しても良く、また、一体に構成されている発明特定事項を複数の部材から構成したり、複数の部材から構成されている発明特定事項を一体に構成した形態で実施しても良い。
【図面の簡単な説明】
【００３１】
【図１】本実施形態のモグラ捕獲装置の部分断面正面図である。
【図２】同モグラ捕獲装置の逆止扉が閉じた状態を示す概略側面図である。
【図３】同モグラ捕獲装置の逆止扉が開いた状態を示す概略側面図である。
【図４】同モグラ捕獲装置の作動状態を説明する正面図である。
【図５】同モグラ捕獲装置の作動状態を説明する正面図である。
【図６】本発明に係る変形例のモグラ捕獲装置の正面図である。
【図７】本発明に係る他の変形例のモグラ捕獲装置の部分断面正面図である。
【図８】本発明に係る更に他の変形例のモグラ捕獲装置におけるケース本体の正面図である。
【符号の説明】
【００３２】
１０、２０、３０  モグラ捕獲装置
１  ケース本体
１１、１２  通孔
２  逆止扉
３  取出蓋
４  流入抑制部
４１  遮蔽板
５  報知部材
６  弾性部材
【図１】
2006141339.tif 000003
【図２】
2006141339.tif 000004
【図３】
2006141339.tif 000005
【図４】
2006141339.tif 000006
【図５】
2006141339.tif 000007
【図６】
2006141339.tif 000008
【図７】
2006141339.tif 000009
【図８】
2006141339.tif 000010